(57)【要約】  空気調和機を遠隔操作するリモコンであって、操作画像が表示される表示部と、表示部に表示された操作画像への操作指示を検出するタッチパネルと、タッチパネルによって検出された操作指示に対応する機能を表示部に表示させる制御装置と、を備えたリモコン。
2017026063.tif 000002
【特許請求の範囲】
【請求項１】
空気調和機を遠隔操作するリモコンであって、
操作画像が表示される表示部と、
前記表示部に表示された前記操作画像への操作指示を検出するタッチパネルと、
前記タッチパネルによって検出された操作指示に対応する機能を前記表示部に表示させる制御装置と、を備えた
リモコン。
【請求項２】
前記空気調和機を起動する運転ボタンを更に備え、
前記制御装置は、
前記運転ボタンが押下されると、設定温度上昇ボタン、設定温度下降ボタン、及び設定温度を前記表示部に表示する
請求項１に記載のリモコン。
【請求項３】
前記表示部は、画面遷移ボタンを更に備え、
前記制御装置は、
前記画面遷移ボタンが押下されると、前記表示部に表示される前記操作画像を変更する
請求項１又は２に記載のリモコン。
【請求項４】
前記表示部は、運転変更ボタンを更に備え、
前記制御装置は、
前記運転変更ボタンが押下されると、前記表示部に表示される前記操作画像を運転変更用の画像に変更する
請求項１〜３のいずれか一項に記載のリモコン。  
【請求項５】
前記制御装置は、
前記表示部に標準操作画面及び該標準操作画面よりも操作画像が少ない簡易操作画面を切替え可能に表示する
請求項１〜４のいずれか一項に記載のリモコン。
【請求項６】
前記制御装置は、
前記簡易操作画面で表示できない操作画像がある場合には、前記表示部を前記標準操作画面に切替え、前記簡易操作画面で表示できない操作画像を前記表示部に表示する
請求項５に記載のリモコン。
【発明の詳細な説明】
【技術分野】
【０００１】
本発明は、空気調和機を遠隔操作するリモコンに関するものである。
【背景技術】
【０００２】
従来、「メニュー及び前記メニュー内の任意の項目を指示するカーソルを表示する表示部と、前記カーソルを移動させるカーソル移動手段と、前記カーソルで指示された項目の実行を決定する確定手段と、前記カーソル移動手段又は前記確定手段に反応して前記表示部を含む被制御対象を制御する制御装置と、を備え、前記制御装置は、前記表示部が待機しているときに表示させる基本画面の表示形式を複数記憶しており、第１の所定入力を受けたときに、前記メニューに前記基本画面の表示形式を選択する項目を表示させる」リモコンが提案されている（例えば特許文献１参照）。
【先行技術文献】
【特許文献】
【０００３】
【特許文献１】特開２００８−１９６７７８号公報
【発明の概要】
【発明が解決しようとする課題】
【０００４】
特許文献１で提案されているリモコンは、カーソルを使用しているため、カーソルを操作させるためのカーソル移動手段、及びカーソルで指示された項目の実行を決定する確定手段が必要であった。また、リモコンの操作性をある程度確保するためにハードウェアボタンを用意しなければならない。そのため、リモコンに備えられるボタン等の数が多くなり、リモコンの操作性が低下する問題点があった。【０００５】
また、待機しているときに表示させる表示部の基本画面の表示形式については、選択された表示形式が表示される。そのため、選択されていない表示形式にしか表示されない項目について表示させるためには、カーソル移動手段等を操作して表示形式を変更する必要があり操作が煩わしくなるという問題点があった。【０００６】
本発明は、上記のような課題を背景になされたものであり、リモコンが備える操作ボタンの数を少なくし、利便性及び操作性が向上したリモコンを得ることにある。
【課題を解決するための手段】
【０００７】
本発明に係るリモコンは、空気調和機を遠隔操作するリモコンであって、操作画像が表示される表示部と、前記表示部に表示された前記操作画像への操作指示を検出するタッチパネルと、前記タッチパネルによって検出された操作指示に対応する機能を前記表示部に表示させる制御装置と、を備えたものである。
【発明の効果】
【０００８】
本発明によれば、タッチパネルによって検出された操作指示に対応する機能を表示部に表示させる制御装置を設ける。このようにすることで、利便性及び操作性が向上したリモコンを得ることができる。
【図面の簡単な説明】
【０００９】
【図１】本発明の実施の形態１に係るリモコンの制御ブロック図である。
【図２】本発明の実施の形態１に係るリモコンの概略正面図である。
【図３】本発明の実施の形態１に係るリモコンにより操作される空気調和機が停止している時のリモコンの表示部の画面の状態図である。
【図４】図２のリモコンの表示部の変形例を示す概略図である。
【図５】図４のリモコンの画面遷移ボタンの変形例を示す概略図である。
【図６】本発明の実施の形態２に係るリモコンの制御ブロック図である。
【図７Ａ】本発明の実施の形態２に係るリモコンの表示部の標準ホーム画面を示す概略図である。
【図７Ｂ】本発明の実施の形態２に係るリモコンの運転モード変更の画面を示す概略図である。
【図７Ｃ】本発明の実施の形態２に係るリモコンの設定温度変更の画面を示す概略図である。
【図７Ｄ】本発明の実施の形態２に係るリモコンのメニュー変更の画面を示す概略図である。
【図８】本発明の実施の形態２に係るリモコンの停止時の表示部の画面を示す概略図である。
【図９】本発明の実施の形態２に係るリモコンのタイマー設定中を示す表示部の変形例を示す概略図である。
【図１０】本発明の実施の形態２に係るリモコンの送風時における表示部の変形例を示す概略図である。
【発明を実施するための形態】
【００１０】
以下、本発明のリモコンの実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００１１】
実施の形態１．
［リモコンの構成］
図１は、本発明の実施の形態１に係るリモコンの制御ブロック図である。図１に示されるように、リモコン１は、制御装置１１、送信部１２、表示部１３、バックライト１４、タッチパネル１５、ハードボタン１６ａ及びハードボタン１６ｂを有している。送信部１２は、空気調和機２へ運転情報等を変更する制御信号を送信する。表示部１３は、リモコン１に空気調和機２の設定状態を表示するとともに、リモコン１を操作するための操作画像を表示する。バックライト１４は、表示部１３の裏側から光を照射して表示部１３を明るくする。タッチパネル１５は、表示部１３の表示領域と重なるように設置され、指等が接触した検知領域、つまり接触した操作画像を検知し、その検知した座標を出力する。なお、ハードボタン１６ａは、本発明における「運転ボタン」に相当する。
【００１２】
制御装置１１は、例えばマイコンによって構成され、タッチ座標取得手段１７と、表示内容管理手段１８、制御内容管理手段１９を備えている。タッチ座標取得手段１７は、タッチパネル１５のタッチされた座標を取得する。表示内容管理手段１８は、表示部１３に表示する画像の種類、及び画像の表示位置を管理する。表示内容管理手段１８が管理する表示位置とは、タッチパネル１５の座標を意味する。表示内容管理手段１８が管理する画像の種類としては、単純な画像及び単純な操作ボタンの操作画像等が挙げられる。制御内容管理手段１９は、タッチ座標取得手段１７で取得したタッチパネル１５の座標と、表示内容管理手段１８が管理するタッチパネル１５の座標の情報に基づき、ユーザがタッチパネル１５にタッチした領域にある画像の種類を識別する。そして、制御内容管理手段１９は、表示部１３の表示内容の更新を指示する信号を表示内容管理手段１８へ送信したり、送信部１２を介して空気調和機２へ制御信号を送信したりする。
【００１３】
ハードボタン１６ａは、空気調和機２の運転開始を操作する機能を有するボタンである。ハードボタン１６ａが押下されると、制御装置１１はハードボタン１６ａが押下されたことを検知し、送信部１２を介して空気調和機２へ運転開始の制御信号を送信する。一方、ハードボタン１６ｂは、空気調和機２の運転停止を操作する機能を有するボタンである。ハードボタン１６ｂが押下されると、制御装置１１はハードボタン１６ｂが押下されたことを検知し、送信部１２を介して空気調和機２へ運転停止の制御信号を送信する。
【００１４】
図２は、本発明の実施の形態１に係るリモコンの概略正面図である。図２に示されるように、リモコン１は、本体１Ａ、送信部１２、ハードボタン１６ａ、ハードボタン１６ｂ、表示部１３、バックライト１４及びタッチパネル１５を備えている。リモコン１の本体１Ａの上部側には、送信部１２及びハードボタン１６ａが設けられ、ハードボタン１６ａの下方であって、リモコン１の本体１Ａの表面部には表示部１３及びタッチパネル１５が設けられている。また、表示部１３及びタッチパネル１５の下方には、ハードボタン１６ｂが設けられている。さらに、リモコン１の本体１Ａの内部であって、表示部１３及びタッチパネル１５の裏側には、バックライト１４が設けられている。なお、本実施の形態１において、ハードボタン１６ａ等をリモコン１の上部側に設けた例を示したが、本発明はこれに限定されず、ハードボタン１６ａ等の位置を適宜変更してもよい。
【００１５】
なお、本実施の形態１においてハードボタン１６ａ及びハードボタン１６ｂを２つ設けて空気調和機２の運転の開始及び停止を制御しているが、本発明はこれに限定されず、ハードボタンを１つにして、運転の開始及び停止の制御を実施してもよい。また、本実施の形態１において、リモコン１にハードボタン１６ａ及びハードボタン１６ｂを設けた例を示したが、本発明はこれに限定されず、空気調和機２の運転の開始及び停止の制御を実施する操作画像をタッチパネル１５に設けても良い。
【００１６】
表示部１３には、設定温度上昇ボタン１０１、設定温度下降ボタン１０２、運転モード欄１０３、及び設定温度欄１０４が表示されている。以下、設定温度上昇ボタン１０１、設定温度下降ボタン１０２、運転モード欄１０３、及び設定温度欄１０４が表示されている画面を「簡易ホーム画面」と称する。設定温度上昇ボタン１０１及び設定温度下降ボタン１０２は三角形状の操作画像として表示されている。図２の表示部に表示されている簡易ホーム画面を例に説明すると、運転モード欄１０３には、「自動運転」が表示され、設定温度欄１０４には、設定温度は、「２６．５℃」が表示されている。なお、簡易ホーム画面は、本発明における「簡易操作画面」に相当する。
【００１７】
なお、本実施の形態１において、設定温度上昇ボタン１０１及び設定温度下降ボタン１０２を三角形状とした例を示したが、本発明はこれに限定されない。例えば、表示部１３の上半分を設定温度上昇ボタン１０１の領域とし、表示部１３の下半分を設定温度下降ボタン１０２の領域としてもよい。このようにすることで、各ボタンの操作領域が広がるため、より操作性が向上する効果が得られる。
【００１８】
ここで、リモコン１を電池駆動とした場合、電池の寿命を延ばすためにリモコンを一定時間使用していないときには、制御装置１１は、表示部１３及びバックライト１４を消灯させる。表示部１３及びバックライト１４が消灯している場合において、タッチパネル１５を押下又は接触することで、制御装置１１は、表示部１３及びバックライト１４を点灯させるようにする。あるいは、ハードボタン１６ａ、又はハードボタン１６ｂを押下しても表示部１３及びバックライト１４を点灯させるようにする。ハードボタン１６ａを押下した場合、表示部１３及びバックライト１４が点灯すると同時に、空気調和機２の運転も開始される。同様に、ハードボタン１６ｂを押下した場合、表示部１３及びバックライト１４が点灯すると同時に、空気調和機２の運転が停止される。
【００１９】
図３は、本発明の実施の形態１に係るリモコンにより操作される空気調和機が停止している時のリモコンの表示部の画面の状態図である。図３に示されるように、空気調和機２が停止している状態において、表示部１３には、操作画像等の表示は無く、運転モード欄１０３ａには「運転モード自動」と表示され、運転モード欄１０３ａの下方には「停止中」の表示がされている。
【００２０】
［リモコンの動作］
次に図１〜図３を用いてリモコン１の動作について説明する。空気調和機２が停止している状態で、表示部１３に操作画像が表示されている場合、表示部１３には図３に示される操作画像が表示される。この状態で、ユーザが空気調和機２を運転させたい場合、ユーザはハードボタン１６ａを押下する。ハードボタン１６ａの押下を制御装置１１が検知すると、制御装置１１の制御内容管理手段１９により、現在の運転状態、この場合では「運転モード自動」で「停止中」という情報を加味し、以下の動作を行う。空気調和機２が「運転モード自動」で「停止中」という条件でハードボタン１６ａが押下されたので、制御装置１１は、表示内容管理手段１８へ、図２に示されるような空気調和機２の自動運転での動作中の表示を指示する。つまり、制御装置１１は、ハードボタン１６ａが押下されると、設定温度上昇ボタン１０１、設定温度下降ボタン１０２、及び設定温度を表示部１３に表示する。そして、制御装置１１は、送信部１２へ自動運転で動作させる信号を空気調和機２へ向けて送信させる。
【００２１】
一方で、空気調和機２が動作している場合、表示部１３には、図２に示されるような画面が表示されている。ここで、タッチパネル１５の説明をする。タッチパネル１５は、少なくとも表示部１３の領域の内、設定温度上昇ボタン１０１及び設定温度下降ボタン１０２が配置されている領域を含むように設置する。このようにすることで、ユーザが設定温度上昇ボタン１０１及び設定温度下降ボタン１０２にタッチした際に、タッチパネル１５は、ユーザのタッチ操作を検知することが可能となる。
【００２２】
タッチパネル１５によって、ユーザからのタッチが検知されると、制御装置１１は、タッチ座標取得手段１７によって、ユーザがタッチした座標情報を取得する。制御装置１１は、当該座標情報を用いて、表示内容管理手段１８によって、タッチされた領域にある操作画像の種類を識別する。
【００２３】
例えば、ユーザが空気調和機２の設定温度を上げたい場合、ユーザは、表示部１３上の設定温度上昇ボタン１０１が表示されている領域をタッチする。この場合、制御装置１１は、設定温度上昇ボタン１０１がタッチされたことを認識する。制御装置１１は、操作画像の種類に基づき、表示内容管理手段１８によって空気調和機２の運転動作を決定する。表示内容管理手段１８では、現在の運転状態の情報を考慮し、次の運転動作を決定する。
【００２４】
ユーザが、表示部１３上の設定温度上昇ボタン１０１が表示されている領域をタッチする場合を説明する。空気調和機２が自動運転中に設定温度上昇ボタン１０１がタッチされたので、制御装置１１は、表示内容管理手段１８へ空気調和機２の設定温度を２６．５℃から２７．０℃に上昇させた表示を指示する。一方、制御装置１１は、送信部１２に設定温度を２７．０℃にする信号を空気調和機２へ向けて送信させる。
【００２５】
一方、ユーザが、表示部１３上の設定温度下降ボタン１０２が表示されている領域をタッチする場合を説明する。空気調和機２が自動運転中に設定温度下降ボタン１０２がタッチされたので、制御装置１１は、表示内容管理手段１８へ空気調和機２の設定温度を２６．５℃から２６．０℃に下降させた表示を指示する。一方、制御装置１１は、送信部１２に設定温度を２６．０℃にする信号を空気調和機２へ向けて送信させる。
【００２６】
また、ユーザが空気調和機２を停止したい場合には、ハードボタン１６ｂを押下する。空気調和機２が自動運転中にハードボタン１６ｂが押下されたので、制御装置１１は、送信部１２に空気調和機２を停止させる信号を、空気調和機２へ向けて送信させる。
【００２７】
運転モード欄１０３に設定された「自動運転」は、空気調和機２で取得できる外気温、外気湿度、室内温度、室内湿度、及び人の体感温度の内、少なくとも１つを用いて、空気調和機２の運転モードを決定する運転モードである。運転モードとしては、冷房運転モード、暖房運転モード、除湿運転モード、及び送風モード等がある。
【００２８】
更に、近年の空気調和機には、センサーを搭載し、人の位置、又は活動量を測定し、風向及び風速を自動的に制御する機能を有しているものもあり、運転モードの「自動運転」にこれらの機能を適用してもよい。
【００２９】
図４は、図２のリモコンの表示部の変形例を示す概略図である。図４に示されるように、簡易ホーム画面の表示部１３には、画面遷移ボタン１０５が設けられている。画面遷移ボタン１０５は、設定温度の上昇及び設定温度の下降以外の機能の設定画面、及び設定温度以外の設定状態の確認画面へ遷移させる機能を持つ。例えば、画面遷移ボタン１０５をタッチすると風速設定画面に遷移したり、風向設定画面に遷移したり、ユーザは風速、又は、風向を設定することができる。このように、画面遷移ボタン１０５をさらに設けることで、風速又は風向が好みに合わないユーザに対して細かい設定が可能な設定画面を提示することが可能となり、利便性を向上させることができる。
【００３０】
なお、本実施の形態１において、図４に示す画面遷移ボタン１０５を深い意味を持たないアイコンの操作画像としたが、図５に示されるように、操作画像にメニューの文言を明記したり、操作画像を戻る意味を持つ矢印のようにしても良い。また、画面遷移ボタン１０５を表示部１３に表示させる代わりに、ハードボタン１６ａ又はハードボタン１６ｂを長押しすることで画面遷移ボタン１０５をタッチした場合と同様の効果を得るようにしてもよい。また、画面遷移ボタン１０５を表示部１３に表示させる代わりに、ハードボタン１６ａとハードボタン１６ｂとを同時に押したりすることで、画面遷移ボタン１０５をタッチした場合と同様の効果を得るようにしてもよい。なお、図３に示される、リモコン１に係る空気調和機２が停止している時の表示部１３の画面に画面遷移ボタン１０５を表示してもよい。
【００３１】
［実施の形態１の効果］
以上のことから、本実施の形態１によれば、リモコン１を操作するための操作画像を表示する表示部１３と、表示部１３に表示された操作画像への操作指示を検出するタッチパネル１５と、タッチパネル１５によって検出された操作指示に対応する機能を表示部１３に表示させ、機能に係る操作指示を受け付ける制御装置１１と、を備えるリモコン１とする。このようにすることで、利便性及び操作性が向上したリモコン１を得ることができる。
【００３２】
また、リモコン１は、空気調和機２を起動するハードボタン１６ａを更に備え、制御装置１１は、ハードボタン１６ａが押下された場合に表示部１３に表示させる操作画像を、設定温度、設定温度上昇ボタン１０１、設定温度下降ボタン１０２、及び設定温度とする構成とする。このようにすることで、表示部１３に表示される操作画像を簡素化し、操作性を向上させたリモコン１を得ることができる。
【００３３】
また、表示部１３は、画面遷移ボタン１０５を更に備え、制御装置１１は、画面遷移ボタン１０５が押下された場合に、表示部１３に表示される操作画像を変更するように構成する。このようにすることで、風速又は風向等が好みに合わないユーザに対して細かい設定が可能な設定画面を提示することが可能となり、利便性を向上させることができる。
【００３４】
実施の形態２．
本実施の形態２におけるリモコンの基本的な構成は実施の形態１におけるリモコンと同様であるため、以下、実施の形態１との相違点を中心に本実施の形態２を説明する。実施の形態１と本実施の形態２との相違点は、簡易ホーム画面と標準ホーム画面を切替えることが可能である点である。
【００３５】
図６は、本発明の実施の形態２に係るリモコンの制御ブロック図である。図６に示されるように、リモコン１は、制御装置１１、送信部１２、表示部１３、バックライト１４、タッチパネル１５、ハードボタン１６ａ及びハードボタン１６ｂを有している。送信部１２、表示部１３、バックライト１４、タッチパネル１５、ハードボタン１６ａ及びハードボタン１６ｂの機能については実施の形態１で説明しているため、本実施の形態２で説明することは省略する。
【００３６】
制御装置１１は、例えばマイコンによって構成され、タッチ座標取得手段１７、表示内容管理手段１８、制御内容管理手段１９、及びホーム画面管理手段２０を備えている。タッチ座標取得手段１７、表示内容管理手段１８、制御内容管理手段１９については実施の形態１で説明しているため、本実施の形態２で説明することは省略する。ホーム画面管理手段２０は、表示部１３に表示されるホーム画面を切替える機能を有する。
【００３７】
図７Ａは、本発明の実施の形態２に係るリモコンの表示部の標準ホーム画面を示す概略図である。図７Ａに示されるように、表示部１３には、「標準ホーム画面」として、時刻ボタン２０１と、運転モードボタン２０２と、温湿度ボタン２０３と、カスタムボタン２０４と、カスタムボタン２０５と、メニューボタン２０６とが表示されている。時刻ボタン２０１は、現在の時刻を表示する。運転モードボタン２０２は、運転モードを表示し、運転モードを変更する画面へと遷移させるボタンである。温湿度ボタン２０３は、設定温度又は設定湿度を表示し、設定温度及び設定湿度を変更する画面へと遷移させるボタンである。なお、標準ホーム画面は、本発明における「標準操作画面」に相当する。
【００３８】
カスタムボタン２０４は、空気調和機２の運転又は停止のタイマーの設定を行う画面へと直接遷移させるボタンである。また、カスタムボタン２０５は、空気調和機２の通常運転又は節電運転の設定を行う画面へと直接遷移させるボタンである。
【００３９】
図７Ｂは、本発明の実施の形態２に係るリモコンの運転モード変更の画面を示す概略図である。図７Ｂに示されるように、運転モードボタン２０２（図７Ａ参照）をタッチすると、制御装置１１は、表示部１３に表示される画面を運転モードボタン２０２ａへと遷移させる。運転モードボタン２０２ａには、変更可能な運転モードの一覧が表示されており、変更したい運転モードをタッチすることで、運転モードの変更を行うことができる。図７Ｂの例では、変更できる運転モードとして、自動運転モード、冷房運転モード、暖房運転モード、除湿運転モード、及び送風運転モードがある。
【００４０】
図７Ｃは、本発明の実施の形態２に係るリモコンの設定温度変更の画面を示す概略図である。図７Ｃに示されるように、温湿度ボタン２０３（図７Ａ参照）をタッチすると、制御装置１１は、表示部１３に表示される画面を温湿度設定変更画面２０３ａへと遷移させる。温湿度設定変更画面２０３ａには、設定温度上昇ボタン１０１、設定温度下降ボタン１０２、運転モード欄１０３、及び設定温度欄１０４、運転変更ボタン１０７、及び画面遷移ボタン１０５が表示されている。温湿度設定変更画面２０３ａに表示される運転変更ボタン１０７を押下すると、制御装置１１は、表示部１３に表示される画面を運転モード２０２ａ（図７Ｂ参照）へと遷移させる。上述した通り、運転モードボタン２０２ａには、変更可能な運転モードの画像の一覧が表示されており、変更したい運転モードの画像をタッチすることで、運転モードの変更を行うことができる。その他、温湿度設定変更画面２０３ａに表示されるボタン等の機能については実施の形態１で説明した機能と同様であるため、説明は省略する。なお、温湿度設定変更画面２０３ａは、実施の形態１で説明した「簡易ホーム画面」に相当する。
【００４１】
ここで、冷房運転時及び暖房運転時において、設定温度及び設定湿度が同時に制御できる場合、設定温度及び設定湿度を表示部１３に同時に表示し、設定温度及び設定湿度をそれぞれ操作するボタンを設けてもよい。また、その場合、温湿度ボタン２０３を２つに分割し、設定温度調整用の画面及び設定湿度調整用の画面にそれぞれ遷移させる構成としてもよい。一方で、除湿運転時においては、湿度調整のみでよいため、図７Ａ及び図７Ｃで示されている表示部１３に湿度のみを表示してもよい。さらに、送風運転時においては、温度も湿度も調整できないため、図７Ａの表示部１３に示される温湿度ボタン２０３への操作を無効にするか、または温湿度ボタン２０３を表示しないようにしてもよい。
【００４２】
図７Ｄは、本発明の実施の形態２に係るリモコンのメニュー変更の画面を示す概略図である。図７Ｄに示されるように、メニューボタン２０６（図７Ａ参照）をタッチすると、制御装置１１は、表示部１３に表示される画面をメニュー変更画面２０６ａへと遷移させる。メニュー変更画面２０６ａには、リモコン１で設定及び操作が変更可能な機能の一覧が表示されており、変更したい機能をタッチすることで、機能の変更を行うことができる。
【００４３】
ここで、表示部１３が十分に大きければ、メニュー変更画面２０６ａの一画面に全ての機能を表示することが可能である。しかしながら、機能数が多い場合、又はメニュー変更画面２０６ａが小さい場合には、全ての機能を表示できないため、画面切替えボタン１０６を設け、メニュー変更画面２０６ａを複数用意するようにする。
【００４４】
近年、空気調和機は、様々なセンサーを具備するようになり、益々の多機能化が進んでおり、機能数は増加の一途を辿っている。更に、一般家庭に設置される空気調和機のリモコンは手に持って操作することを想定しているため、十分な大きさの画面を持つことが難しく、複数の操作画面を用意する必要性が増している。ユーザは図７Ａで示される画面で空気調和機の機能の設定及び操作ができない場合は、メニュー変更画面２０６ａ（図７Ｄ参照）の機能一覧から選択することとなる。ただし、メニュー変更画面２０６ａから設定したい機能を設定することは手間が掛かり、頻繁に使用する機能を毎回メニュー変更画面２０６ａから設定することは煩わしい。そこで、図７Ａに示されるように、表示部１３には、カスタムボタン２０４と、カスタムボタン２０５とを設け、各ボタンをタッチすると、メニュー変更画面２０６ａを経由せずに各機能の設定画面へ直接遷移することができる。
【００４５】
図８は、本発明の実施の形態２に係るリモコンの停止時の表示部の画面を示す概略図である。図８に示されるように、空気調和機２が停止している状態において、表示部１３には、操作画像等の表示は無く、運転モード欄２０８には「運転モード自動」と表示され、運転モード欄２０８の下方には「停止中」の表示がされている。また、時刻ボタン２０１と、カスタムボタン２０４と、カスタムボタン２０５と、メニューボタン２０６とが表示されている。
【００４６】
［リモコンの動作］
次に図６〜図７Ｄを用いてリモコン１の動作について説明する。リモコン１を電池駆動とした場合、電池の寿命を延ばすためにリモコンを一定時間使用していないときには、制御装置１１は、表示部１３及びバックライト１４を消灯させる。表示部１３及びバックライト１４が消灯している場合において、タッチパネル１５を押下又は接触することで、制御装置１１は、表示部１３及びバックライト１４を点灯させるようにする。表示部１３及びバックライト１４の消灯状態から点灯状態にするときに表示部１３に表示させる画面がホーム画面となる。このホーム画面を「簡易ホーム画面」（図７Ｃ参照）にするか「標準ホーム画面」（図７Ａ参照）にするかは、ユーザによって設定が可能となっており、どちらの設定とするかは、制御装置１１のホーム画面管理手段２０によって管理されている。
【００４７】
表示部１３及びバックライト１４の消灯状態から点灯状態にするときには、ホーム画面管理手段２０により「簡易ホーム画面」か「標準ホーム画面」のどちらが設定されているかが判断され、制御装置１１は、設定されている画面を表示部１３に表示する。
【００４８】
簡易ホーム画面には、設定温度上昇ボタン１０１、設定温度下降ボタン１０２、運転モード欄１０３、設定温度欄１０４、及び画面遷移ボタン１０５しか表示されない。そのため、表示されている情報以外の重要な情報及び設定温度が設定できない場合には、簡易ホーム画面を表示するだけでは、情報が不足してしまう。そのため、ホーム画面管理手段２０では、ホーム画面が簡易ホーム画面と設定されている場合、表示されている情報以外の重要な情報及び設定温度が設定できない場合かどうかを判断する。そして、ホーム画面管理手段２０は、表示されている情報以外の重要な情報及び設定温度が設定できない場合であると判断した場合には、簡易ホーム画面ではなく、標準ホーム画面を表示部１３に表示させるようにする。
【００４９】
図９は、本発明の実施の形態２に係るリモコンのタイマー設定中を示す表示部の変形例を示す概略図である。図９に示されるように、例えばタイマーが設定されている場合、タイマーが設定されている旨の情報、及び何時に運転を開始し、何時に運転を停止するかなどのタイマーの内容の提示はユーザにとって重要である。そのため、標準ホーム画面では、表示部１３にタイマー表示領域２０７を設けてタイマーの内容を表示する。また、ホーム画面が簡易ホーム画面に設定されている場合においては、簡易ホーム画面にはタイマーを表示する領域がないため、ホーム画面が簡易ホーム画面に設定されている場合であっても、ホーム画面管理手段２０は、図９に示されるような標準ホーム画面を自動的に表示させる。なお、タイマーによって空気調和機２の運転が開始されたり、タイマーが解除された場合には、ホーム画面管理手段２０によって直ぐに標準ホーム画面から簡易ホーム画面へホーム画面が変更される。
【００５０】
図１０は、本発明の実施の形態２に係るリモコンの送風時における表示部の変形例を示す概略図である。図１０に示されるように、空気調和機２に送風モードが設定されている場合、設定温度及び設定湿度は変更できないため、設定温湿度の表示及び設定温湿度の設定を変更させるボタンは不要となる。そのため、標準ホーム画面では、運転モードボタン２０２に送風の表示をし、かつ、温湿度ボタン２０３の領域を非表示とする。
【００５１】
一方で、簡易ホーム画面で送風モードが設定された場合、表示部１３には、送風の文言のみが表示されてしまう。そのため、ホーム画面の設定が簡易ホーム画面であっても、送風等の温湿度の変更ができない運転モードの場合は、図１０に示されるような標準ホーム画面を表示する。なお、運転モードが、送風モードから温湿度の設定変更が可能な運転モードへ変更された場合は、直ぐにホーム画面は簡易ホーム画面へ変更される。このようにすることで、簡易ホーム画面の中に不要な情報を表示させることなく、必要な情報をユーザに提示できるため、利便性が向上する。
【００５２】
なお、空気調和機２の停止中の表示部１３の表示画面は、簡易ホーム画面においては、図３に示されるような画面とし、標準ホーム画面においては、図８に示されるような画面とした。しかし、空気調和機２の停止中に空気調和機２の操作は実施しないため、図３及び図８に示される画面に分ける必要はなく、例えば共通の停止画面として、図８に示される停止中の表示部１３の表示画面を用いてもよい。
【００５３】
［実施の形態２の効果］
以上のことから、本実施の形態２によれば、制御装置１１は、表示部１３に簡易ホーム画面及び標準ホーム画面を切替可能に表示するものである。このようにすることで、実施の形態１の効果に加えて、ユーザが簡易ホーム画面で簡易的な操作を行うことができ、かつ、標準ホーム画面で詳細な設定変更の操作を行うことが可能となる。
【００５４】
また、制御装置１１は、簡易ホーム画面で表示できない項目がある場合には、表示部１３を標準ホーム画面に切替え、簡易ホーム画面で表示できない項目を表示するようにする。このようにすることで、必要な情報をユーザに提示できるため、利便性が向上する。
【符号の説明】
【００５５】
１  リモコン、１Ａ  本体、２  空気調和機、１１  制御装置、１２  送信部、１３  表示部、１４  バックライト、１５  タッチパネル、１６ａ  ハードボタン、１６ｂ  ハードボタン、１７  タッチ座標取得手段、１８  表示内容管理手段、１９  制御内容管理手段、２０  ホーム画面管理手段、１０１  設定温度上昇ボタン、１０２  設定温度下降ボタン、１０３  運転モード欄、１０３ａ  運転モード欄、１０４  設定温度欄、１０５  画面遷移ボタン、１０６  画面切替えボタン、１０７  運転変更ボタン、２０１  時刻ボタン、２０２  運転モードボタン、２０２ａ  運転モードボタン、２０３  温湿度ボタン、２０３ａ  温湿度設定変更画面、２０４  カスタムボタン、２０５  カスタムボタン、２０６  メニューボタン、２０６ａ  メニュー変更画面、２０７  タイマー表示領域、２０８  運転モード欄。
【図１】
2017026063.tif 000003
【図２】
2017026063.tif 000004
【図３】
2017026063.tif 000005
【図４】
2017026063.tif 000006
【図５】
2017026063.tif 000007
【図６】
2017026063.tif 000008
【図７Ａ】
2017026063.tif 000009
【図７Ｂ】
2017026063.tif 000010
【図７Ｃ】
2017026063.tif 000011
【図７Ｄ】
2017026063.tif 000012
【図８】
2017026063.tif 000013
【図９】
2017026063.tif 000014
【図１０】
2017026063.tif 000015
【国際調査報告】
2017026063.tif 000016
2017026063.tif 000017
2017026063.tif 000018
2017026063.tif 000019